【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
プロセス制御プラントのプロセス制御システムにおいて、プロセス変数のグラフィカルなトレンド記号を生成し、表示する方法であって、
前記プロセス制御システムにおける要素からのプロセス変数値の更新を使用して、１つ以上のプロセス変数属性を示すプロセス変数データであって、１つ以上のプロセス変数トレンド属性を示すプロセス変数トレンドデータ、及び１つ以上のプロセス変数の推定された状態属性を示すプロセス変数の推定された状態データを含む、プロセス変数データを、生成することと、
前記プロセス変数トレンドデータを使用して、１つ以上のグラフィックトレンド要素を生成することであって、各グラフィックトレンド要素が、前記プロセス変数トレンド属性のうちの対応する１つと関連付けられる、生成することと、
前記プロセス変数の推定された状態データを使用して、１つ以上の推定された状態のグラフィックトレンド要素を生成することであって、各推定された状態のグラフィックトレンド要素が、前記プロセス変数の推定された状態属性のうちの対応する１つと関連付けられる、生成することと、
グラフィックトレンド記号をユーザインターフェース上に表示することであって、前記グラフィックトレンド記号が、少なくとも１つの生成されたグラフィックトレンド要素及び少なくとも１つの生成された推定された状態のグラフィックトレンド要素を含み、前記少なくとも１つの生成されたグラフィックトレンド要素及び前記少なくとも１つの生成された推定された状態のグラフィックトレンド要素が互いに遮らない、表示することと、を含む、方法。
【請求項２】
前記プロセス変数の推定された状態属性のうちの少なくとも１つが、プロセス変数設定点からの前記プロセス変数の予測された偏差値を示すプロセス変数の推定された状態属性を含み、前記予測された偏差値が、前記プロセス制御システムの予測された動作状態を１つの推定された動作状態から別の推定された動作状態に移動させるようなものである、請求項１に記載の方法。
【請求項３】
前記１つ以上の推定された状態のグラフィックトレンド要素を生成することが、前記予測された偏差値の大きさに対応する、推定された状態の望ましさのグラフィックトレンド要素を生成することを含む、請求項２に記載の方法。
【請求項４】
前記推定された状態の望ましさのグラフィックトレンド要素の色、前記推定された状態の望ましさのグラフィックトレンド要素のサイズ、前記推定された状態の望ましさのグラフィックトレンド要素の陰影、推定された状態の望ましさのグラフィックトレンド要素の数、前記推定された状態の望ましさのグラフィックトレンド要素のパターン、前記推定された状態の望ましさのグラフィックトレンド要素の形状、前記推定された状態の望ましさのグラフィックトレンド要素の輪郭、前記推定された状態の望ましさのグラフィックトレンド要素のテキスト、前記推定された状態の望ましさのグラフィックトレンド要素の記号的表記、前記推定された状態の望ましさのグラフィックトレンド要素の点滅、及び前記推定された状態の望ましさのグラフィックトレンド要素の強調表示、のうちの１つ以上が前記予測された偏差値の前記大きさ値に対応する、請求項３に記載の方法。
【請求項５】
前記プロセス変数データが、１つ以上のプロセス変数偏差属性を示すプロセス変数偏差データを更に含み、前記方法が、
前記プロセス変数偏差データを使用して、１つ以上のグラフィック故障発生源要素を生成することであって、各グラフィック故障発生源要素が、前記プロセス変数偏差属性のうちの対応する１つと関連付けられる、生成することと、
故障発生源アイコンを含むプロセス変数ペインを前記ユーザインターフェース上に表示することであって、前記故障発生源アイコンが、少なくとも１つの生成されたグラフィック故障発生源要素を含む、表示することと、
を含む、請求項１〜請求項４の何れか１項に記載の方法。
【請求項６】
前記プロセス変数データを使用して、プロセス変数値属性の現在値を決定することであって、前記プロセス変数値属性が、前記プロセス変数データを使用して生成されるプロセス変数値データによって示される、決定することと、
前記プロセス変数値属性の前記決定された現在値と関連付けられるグラフィック値要素を生成することと、
前記グラフィック値要素を表示することと、
を更に含む、請求項１〜請求項５の何れか１項に記載の方法。
【請求項７】
前記プロセス変数データを使用して、１つ以上のグラフィック要素を生成することであって、各グラフィック要素が、前記プロセス変数属性のうちの対応する１つと関連付けられる、生成することを更に含み、
前記グラフィックトレンド記号が、少なくとも１つの生成されたグラフィック要素を更に含み、前記少なくとも１つの生成されたグラフィックトレンド要素、前記少なくとも１つの生成された推定された状態のグラフィックトレンド要素、及び前記少なくとも１つの生成されたグラフィック要素が互いに遮らない、請求項１〜請求項６の何れか１項に記載の方法。
【請求項８】
前記プロセス変数トレンドデータを使用して、１つ以上のグラフィックタイムライン要素を生成することであって、各グラフィックタイムライン要素が、前記プロセス変数トレンド属性のうちの対応する１つと関連付けられる、生成することと、
プロセス変数ペインを表示することが、グラフィックトレンドグラフを含む前記プロセス変数ペインを前記ユーザインターフェース上に表示することであって、前記グラフィックトレンドグラフが、少なくとも１つの生成されたグラフィックタイムライン要素を含む、表示することと、
を含む、請求項１〜請求項７の何れか１項に記載の方法。
【請求項９】
プロセス制御プラントのプロセス制御システムにおいて、プロセス変数のトレンド及び予測を識別するためのプロセス変数ペインを生成し、表示する方法であって、
前記プロセス制御システムにおける要素からのプロセス変数値の更新を使用して、１つ以上のプロセス変数属性を示すプロセス変数データであって、１つ以上のプロセス変数トレンド属性を示すプロセス変数トレンドデータ、及び１つ以上のプロセス変数の推定された状態属性を示すプロセス変数の推定された状態データを含む、プロセス変数データを、生成することと、
前記プロセス変数トレンドデータを使用して、１つ以上のグラフィックトレンド要素を
生成することであって、各グラフィックトレンド要素が、前記プロセス変数トレンド属性のうちの対応する１つと関連付けられる、生成することと、
前記プロセス変数の推定された状態データを使用して、１つ以上の推定された状態のグラフィックトレンド要素を生成することであって、各推定された状態のグラフィックトレンド要素が、前記プロセス変数の推定された状態属性のうちの対応する１つと関連付けられる、生成することと、
固定され、かつ囲まれた領域内で、グラフィックトレンド記号を含む前記プロセス変数ペインをユーザインターフェース上に表示することであって、前記グラフィックトレンド記号が、少なくとも１つの生成されたグラフィックトレンド要素及び少なくとも１つの生成された推定された状態のグラフィックトレンド要素を含み、前記少なくとも１つの生成されたグラフィックトレンド要素及び前記少なくとも１つの生成された推定された状態のグラフィックトレンド要素が互いに遮らない、表示することと、を含む、方法。
【請求項１０】
前記プロセス変数の推定された状態属性のうちの少なくとも１つが、プロセス変数設定点からの前記プロセス変数の予測された偏差値の大きさを示すプロセス変数の推定された状態の大きさ属性を含み、前記予測された偏差値が、前記プロセス制御システムの予測された動作状態を１つの推定された動作状態から別の推定された動作状態に移動させるようなものである、請求項９に記載の方法。
【請求項１１】
前記１つ以上の推定された状態のグラフィックトレンド要素を生成することが、前記プロセス変数値の大きさに対応する、推定された状態の望ましさのグラフィックトレンド要素を生成することを含む、請求項１０に記載の方法。
【請求項１２】
前記推定された状態の望ましさのグラフィックトレンド要素の色、前記推定された状態の望ましさのグラフィックトレンド要素のサイズ、前記推定された状態の望ましさのグラフィックトレンド要素の陰影、推定された状態の望ましさのグラフィックトレンド要素の数、前記推定された状態の望ましさのグラフィックトレンド要素のパターン、前記推定された状態の望ましさのグラフィックトレンド要素の形状、前記推定された状態の望ましさのグラフィックトレンド要素の輪郭、前記推定された状態の望ましさのグラフィックトレンド要素のテキスト、前記推定された状態の望ましさのグラフィックトレンド要素の記号的表記、前記推定された状態の望ましさのグラフィックトレンド要素の点滅、及び前記推定された状態の望ましさのグラフィックトレンド要素の強調表示、のうちの１つ以上が前記プロセス変数の前記大きさ値に対応する、請求項１１に記載の方法。
【請求項１３】
前記プロセス変数データが、１つ以上のプロセス変数偏差属性を示すプロセス変数偏差データを更に含み、前記方法が、
前記プロセス変数偏差データを使用して、１つ以上のグラフィック故障発生源要素を生成することであって、各グラフィック故障発生源要素が、前記プロセス変数偏差属性のうちの対応する１つと関連付けられる、生成することを更に含み、
前記プロセス変数ペインを表示することが、故障発生源アイコンを含む前記プロセス変数ペインを前記ユーザインターフェース上に表示することであって、前記故障発生源アイコンが、少なくとも１つの生成されたグラフィック故障発生源要素を含む、表示することを含む、請求項９〜請求項１２の何れか１項に記載の方法。
【請求項１４】
前記プロセス変数データを使用して、プロセス変数値属性の現在値を決定することであって、前記プロセス変数値属性が、前記プロセス変数データを使用して生成されるプロセス変数値データによって示される、決定することと、
前記プロセス変数値属性の前記決定された現在値と関連付けられるグラフィック値要素を生成することと、を更に含み、
前記プロセス変数ペインを表示することが、前記グラフィック値要素を含む前記プロセス変数ペインを表示することを含む、請求項９〜請求項１３の何れか１項に記載の方法。
【請求項１５】
前記プロセス変数データを使用して、１つ以上のグラフィック要素を生成することであって、各グラフィック要素が、前記プロセス変数属性のうちの対応する１つと関連付けられる、生成することを更に含み、
前記グラフィックトレンド記号が、少なくとも１つの生成されたグラフィック要素を更に含み、前記少なくとも１つの生成されたグラフィックトレンド要素、前記少なくとも１つの生成された推定された状態のグラフィックトレンド要素、及び前記少なくとも１つの生成されたグラフィック要素が互いに遮らない、請求項９〜請求項１４の何れか１項に記載の方法。
【請求項１６】
前記プロセス変数トレンドデータを使用して、１つ以上のグラフィックタイムライン要素を生成することであって、各グラフィックタイムライン要素が、前記プロセス変数トレンド属性のうちの対応する１つと関連付けられる、生成することを更に含み、
前記プロセス変数ペインを表示することが、グラフィックトレンドグラフを含む前記プロセス変数ペインを前記ユーザインターフェース上に表示することであって、前記グラフィックトレンドグラフが、少なくとも１つの生成されたグラフィックタイムライン要素を含む、表示することを含む、請求項９〜請求項１５の何れか１項に記載の方法。
【請求項１７】
前記プロセス変数データが、１つ以上のプロセス変数偏差属性を示すプロセス変数偏差データを更に含み、前記方法が、
前記プロセス制御システムのグラフィカルな描写内に、１つ以上のプロセス変数を含む前記プロセス制御システムの前記グラフィカルな描写を表示することであって、前記プロセス変数ペインが、前記プロセス制御システムの前記表示されたグラフィカルな描写と関連付けられ、前記プロセス変数ペインが、前記プロセス制御システムの前記グラフィカルな描写内に表示される前記１つ以上のプロセス変数に対応する、１つ以上のプロセス変数セレクタアイコンを更に含み、各プロセス変数セレクタアイコンが、グラフィックトレンド記号を含む、表示することと、
特定のプロセス変数のための、前記プロセス変数ペインと関連付けられる前記プロセス変数セレクタアイコンのうちの１つの選択を受信することと、
前記プロセス変数セレクタアイコンの前記選択を受信することに応答して、前記プロセス変数偏差データを使用して、１つ以上のグラフィック偏差要素を生成することであって、各グラフィック偏差要素が、前記プロセス変数偏差属性のうちの対応する１つと関連付けられる、生成することと、
固定され、かつ囲まれた領域内で、更なるプロセス変数ペインを前記ユーザインターフェース上に表示することであって、前記更なるプロセス変数ペインが、前記１つ以上のグラフィック偏差要素を含む、表示することと、
を更に含む、請求項９〜請求項１６の何れか１項に記載の方法。
【請求項１８】
前記プロセス変数偏差属性のうちの少なくとも１つが、前記プロセス制御システム内のプロセス変数設定点からのプロセス変数値の偏差の発生源を示す、プロセス変数偏差発生源属性を含み、１つ以上のグラフィック偏差要素を生成することが、プロセス変数偏差の前記発生源に対応するグラフィック偏差発生源要素を生成することを含み、また、前記グラフィック偏差発生源要素が、前記プロセス変数偏差を生じさせる前記プロセス制御システム内の１つ以上の発生源として、グラフィカルに描写される、請求項１７に記載の方法。
【請求項１９】
前記プロセス変数偏差属性のうちの少なくとも１つが、プロセス変数偏差に対する発生源の寄与の大きさを示す、前記プロセス変数偏差の大きさ属性を含み、１つ以上のグラフィック偏差要素を生成することが、前記プロセス変数偏差に対する前記発生源の前記寄与の前記大きさに対応する、大きさのグラフィック偏差要素を生成することを含み、また、前記大きさのグラフィック偏差要素が、大きさバーとしてグラフィカルに描写され、前記大きさバーの長さが、前記プロセス変数偏差に対する前記発生源の前記寄与の前記大きさに比例する、請求項１７又は請求項１８に記載の方法。
【請求項２０】
前記プロセス制御システムのグラフィカルな描写を表示することが、ユニット選択領域を表示することを含み、（ｉ）前記ユニット選択領域が、前記プロセス制御システムの前記グラフィカルな描写の中の１つ以上のユニットに対応し、前記プロセス制御システムの中の１つ以上のユニットに対応する、１つ以上のユニットセレクタアイコンを含み、（ｉｉ）前記プロセス制御プラントの中の各ユニットが、１つ以上の設備を前記プロセス制御プラントの中に含み、（ｉｉｉ）各プロセス変数セレクタアイコンが、前記ユニットセレクタアイコンに対応する、前記ユニットと関連付けられる前記プロセス変数に基づいて、１つ以上のユニットセレクタアイコンと関連付けられ、前記方法が、
前記プロセス変数セレクタアイコンの前記選択を受信することに応答して、
前記選択されたプロセス変数セレクタアイコンと関連付けられる前記特定のプロセス変数を含む、前記プロセス制御システムの中の前記ユニットのグラフィカルな描写を表示することであって、前記ユニットの前記グラフィカルな描写が、前記プロセス変数ペイン及び前記更なるプロセス変数ペインを含む、表示することを更に含む、請求項１７〜請求項１９の何れか１項に記載の方法。
【請求項２１】
前記プロセス制御システムの前記グラフィカルな描写が、１つ以上のグラフィックトレンド記号であって、各グラフィックレンド記号が、（ｉ）前記プロセス制御プラントの前記グラフィカルな描写内のプロセス変数と関連付けられ、（ｉｉ）前記関連付けられるプロセス変数に関連するプロセス制御情報をグラフィカルに表現する、１つ以上のグラフィックトレンド記号と、前記プロセス変数ペイン内に表示される前記グラフィックトレンド記号に対応する１つのグラフィックトレンド記号と、を更に含む、請求項１７〜請求項２０の何れか１項に記載の方法。
【請求項２２】
プロセス制御プラントのプロセス制御システムにおいて、プロセス変数のグラフィカルなトレンド記号を生成し、表示する方法であって、
前記プロセス制御システムにおける要素からのプロセス変数値の更新を使用して、１つ以上のプロセス変数属性を示すプロセス変数データであって、１つ以上のプロセス変数トレンド属性を示すプロセス変数トレンドデータを含む、プロセス変数データを、生成することと、
前記プロセス変数データを使用して、１つ以上のグラフィック要素を生成することであって、各グラフィック要素が、前記プロセス変数属性の対応するものと関連付けられる、生成することと、
前記プロセス変数トレンドデータを使用して、１つ以上のグラフィックトレンド要素を生成することであって、各グラフィックトレンド要素が、前記プロセス変数トレンド属性のうちの対応する１つと関連付けられる、生成することと、
前記プロセス変数トレンドデータを使用して、１つ以上のグラフィックタイムライン要素を生成することであって、各グラフィックタイムライン要素が、前記プロセス変数トレンド属性のうちの対応する１つと関連付けられる、生成することと、
グラフィックトレンド記号及びグラフィックトレンドグラフをユーザインターフェース上に表示することであって、前記グラフィックトレンド記号が、少なくとも１つの生成されたグラフィックトレンド要素及び少なくとも１つの生成されたグラフィック要素を含み、前記少なくとも１つの生成されたグラフィックトレンド要素及び前記少なくとも１つの生成されたグラフィック要素が互いに遮らず、前記グラフィックトレンドグラフが、少なくとも１つの生成されたグラフィックタイムライン要素を含む、表示することと、を含む、方法。
【請求項２３】
前記プロセス変数データが、１つ以上のプロセス変数偏差属性を示すプロセス変数偏差データを更に含み、前記方法が、
前記プロセス変数偏差データを使用して、１つ以上のグラフィック故障発生源要素を生成することであって、各グラフィック故障発生源要素が、前記プロセス変数偏差属性のうちの対応する１つと関連付けられる、生成することを更に含み、
プロセス変数ペインを表示することが、故障発生源アイコンを含む前記プロセス変数ペインを前記ユーザインターフェース上に表示することであって、前記故障発生源アイコンが、少なくとも１つの生成されたグラフィック故障発生源要素を含む、表示することを含む、請求項２２に記載の方法。
【請求項２４】
前記プロセス変数データを使用して、プロセス変数値属性の現在値を決定することであ
って、前記プロセス変数値属性が、前記プロセス変数データを使用して生成されるプロセス変数値データによって示される、決定することと、
前記プロセス変数値属性の前記決定された現在値と関連付けられるグラフィック値要素を生成することと、を更に含み、
プロセス変数ペインを表示することが、前記グラフィック値要素を含む前記プロセス変数ペインを表示することを含む、請求項２２又は請求項２３に記載の方法。
【請求項２５】
前記少なくとも１つの生成されたグラフィック要素が、別のトレンド属性に対応する別のグラフィックトレンド要素を含む、請求項２２〜請求項２４の何れか１項に記載の方法。
【請求項２６】
前記プロセス変数データが、１つ以上のプロセス変数偏差属性を示すプロセス変数偏差データを更に含み、前記方法が、
前記プロセス制御システムのグラフィカルな描写内に、１つ以上のプロセス変数を含む前記プロセス制御システムの前記グラフィカルな描写を表示することであって、プロセス変数ペインが、前記プロセス制御システムの前記表示されたグラフィカルな描写と関連付けられ、前記プロセス変数ペインが、前記プロセス制御システムの前記グラフィカルな描写内に表示される前記１つ以上のプロセス変数に対応する、１つ以上のプロセス変数セレクタアイコンを更に含み、各プロセス変数セレクタアイコンが、グラフィックトレンド記号を含む、表示することと、
特定のプロセス変数のための、前記プロセス変数ペインと関連付けられる前記プロセス変数セレクタアイコンのうちの１つの選択を受信することと、
前記プロセス変数セレクタアイコンの前記選択を受信することに応答して、前記プロセス変数偏差データを使用して、１つ以上のグラフィック偏差要素を生成することであって、各グラフィック偏差要素が、前記プロセス変数偏差属性のうちの対応する１つと関連付けられる、生成することと、
固定され、かつ囲まれた領域内で、更なるプロセス変数ペインを前記ユーザインターフェース上に表示することであって、前記更なるプロセス変数ペインが、前記１つ以上のグラフィック偏差要素を含む、表示することと、を更に含む、請求項２２〜請求項２５の何れか１項に記載の方法。
【請求項２７】
前記プロセス変数偏差属性のうちの少なくとも１つが、前記プロセス制御システム内のプロセス変数設定点からのプロセス変数値の偏差の発生源を示す、プロセス変数偏差発生源属性を含み、１つ以上のグラフィック偏差要素を生成することが、プロセス変数偏差の前記発生源に対応するグラフィック偏差発生源要素を生成することを含み、また、前記グラフィック偏差発生源要素が、前記プロセス変数偏差を生じさせる前記プロセス制御システム内の１つ以上の発生源として、グラフィカルに描写される、請求項２６に記載の方法。
【請求項２８】
前記プロセス変数偏差属性のうちの少なくとも１つが、プロセス変数偏差に対する発生源の寄与の大きさを示す、前記プロセス変数偏差の大きさ属性を含み、１つ以上のグラフィック偏差要素を生成することが、前記プロセス変数偏差に対する前記発生源の前記寄与の前記大きさに対応する、大きさのグラフィック偏差要素を生成することを含み、また、前記大きさのグラフィック偏差要素が、大きさバーとしてグラフィカルに描写され、前記大きさバーの長さが、前記プロセス変数偏差に対する前記発生源の前記寄与の前記大きさに比例する、請求項２６又は請求項２７に記載の方法。
【請求項２９】
前記プロセス制御システムのグラフィカルな描写を表示することが、ユニット選択領域を表示することを含み、（ｉ）前記ユニット選択領域が、前記プロセス制御システムの前記グラフィカルな描写の中の１つ以上のユニットに対応し、前記プロセス制御システムの中の１つ以上のユニットに対応する、１つ以上のユニットセレクタアイコンを含み、（ｉｉ）前記プロセス制御プラントの中の各ユニットが、１つ以上の設備を前記プロセス制御プラントの中に含み、（ｉｉｉ）各プロセス変数セレクタアイコンが、前記ユニットセレクタアイコンに対応する、前記ユニットと関連付けられる前記プロセス変数に基づいて、
１つ以上のユニットセレクタアイコンと関連付けられ、前記方法が、
前記プロセス変数セレクタアイコンの前記選択を受信することに応答して、
前記選択されたプロセス変数セレクタアイコンと関連付けられる前記特定のプロセス変数を含む、前記プロセス制御システムの中の前記ユニットのグラフィカルな描写を表示することであって、前記ユニットの前記グラフィカルな描写が、前記プロセス変数ペイン及び前記更なるプロセス変数ペインを含む、表示することを更に含む、請求項２６〜請求項２８の何れか１項に記載の方法。
【請求項３０】
前記プロセス制御システムの前記グラフィカルな描写が、１つ以上のグラフィックトレンド記号であって、各グラフィックレンド記号が、（ｉ）前記プロセス制御プラントの前記グラフィカルな描写内のプロセス変数と関連付けられ、（ｉｉ）前記関連付けられるプロセス変数に関連するプロセス制御情報をグラフィカルに表現する、１つ以上のグラフィックトレンド記号と、前記プロセス変数ペイン内に表示される前記グラフィックトレンド記号に対応する１つのグラフィックトレンド記号と、を更に含む、請求項２６〜請求項２９の何れか１項に記載の方法。